(57)【要約】【課題】特別な装置、構造を設けることなく、重ねられた複数の書類の境界をわかりやすくする。【解決手段】画像形成装置は、印刷用データの入力を受けるデータ入力部、カラー印刷可能であり印刷用データに基づき印刷ジョブを実行する印刷部、印刷ジョブのうち付記情報を配する余白領域が白紙でないページを第１情報付記ページと認識し、各第１情報付記ページのうち、同一又は類似の付記情報が設定されているページを第２情報付記ページと判定し、第２情報付記ページについては余白領域に分類用画像を印刷部に印刷させる制御部を含む。制御部は、１つの印刷ジョブの各ページに付す分類用画像の色を統一する。印刷ジョブごとに分類用画像の色を異ならせる。【選択図】図６
2018016006.tif 000002
【特許請求の範囲】
【請求項１】
書類の印刷に用いる印刷用データの入力を受けるデータ入力部と、
カラー印刷可能であり、前記データ入力部に入力された前記印刷用データに基づき印刷ジョブを実行する印刷部と、
前記印刷ジョブで印刷しようとするページのうち、書類に関する付記情報を配する領域として予め定められた余白領域が白紙でないページを第１情報付記ページと認識し、各前記第１情報付記ページのうち同一又は類似の前記付記情報が設定されているページを第２情報付記ページと判定し、前記第２情報付記ページについては、前記余白領域に分類用画像を前記印刷部に印刷させ、１つの前記印刷ジョブの各ページに付す前記分類用画像の色を統一するとともに、前記印刷ジョブごとに前記分類用画像の色を異ならせる制御部と、を含み、
前記余白領域は、ヘッダー領域とフッダー領域の何れか一方又は両方であり、
前記付記情報は、前記ヘッダー領域に配されたヘッダー情報と前記フッター領域に配されたフッター情報の何れか一方又は両方であることを特徴とする画像形成装置。
【請求項２】
前記印刷ジョブに用いた前記印刷用データのファイル名とその前記印刷ジョブで付された前記分類用画像の色を示すデータを少なくとも含む履歴データを記憶する記憶部を含み、
前記記憶部に記憶されている前記ファイル名と同じファイル名の前記印刷用データに含まれる一部のページを印刷するとき、前記制御部は、前記記憶部に記憶された前記分類用画像の色と異なるが同色系の前記分類用画像を前記印刷部に印刷させることを特徴とする請求項１に記載の画像形成装置。
【請求項３】
前記印刷ジョブに用いた前記印刷用データのファイル名と前記印刷ジョブで付された前記分類用画像の色を示すデータを少なくとも含む履歴データを記憶する記憶部と、
使用者の設定操作を受け付ける操作パネルを含み、
前記操作パネルが前記記憶部に記憶された複数の前記履歴データの中から１又は複数の前記履歴データを選択する選択入力と、前記選択入力の後に目次一覧の印刷の実行指示を受け付けたとき、前記制御部は、目次一覧を前記印刷部に印刷させ、
前記目次一覧は、選択された前記履歴データごとに、前記履歴データに含まれる前記色の見本画像と前記ファイル名の組み合わせを並べた一覧であることを特徴とする請求項１又は２に記載の画像形成装置。
【請求項４】
前記分類用画像は、ページの左右方向を長手方向とする帯状の図形であることを特徴とする請求項１乃至３の何れか１項に記載の画像形成装置。
【請求項５】
使用者の設定操作を受け付ける操作パネルを含み、
前記操作パネルが前記印刷ジョブの全ページに前記分類用画像を印刷する指示を受け付けたとき、
前記制御部は、全ページの前記余白領域への前記分類用画像の印刷を前記印刷部に行わせることを特徴とする請求項１乃至４の何れか１項に記載の画像形成装置。
【請求項６】
使用者の設定操作を受け付ける操作パネルを含み、
前記操作パネルは、前記分類用画像の色の設定を受け付け、
前記制御部は、前記操作パネルで設定された色の前記分類用画像を前記印刷部に印刷させることを特徴とする請求項１乃至５の何れか１項に記載の画像形成装置。
【請求項７】
前記制御部は、前記付記情報に代えて前記分類用画像の印刷を前記印刷部に行わせることを特徴とする請求項１乃至６の何れか１項に記載の画像形成装置。
【発明の詳細な説明】
【技術分野】
【０００１】
本発明は、印刷を行う画像形成装置に関する。
【背景技術】
【０００２】
プリンター、複合機、複写機、ファクシミリ装置のような画像形成装置では、１つの排出先（排出トレイ）に複数の印刷ジョブの印刷物が重ねられる場合ある。この場合、他人の印刷物を誤って持っていかないように、重ねられた印刷物を１ページずつ確認し、書類と書類の境界を見つけ（印刷物を仕分け）、自分の印刷物を取り出す作業が必要となる。特許文献１には、印刷物の仕分けに関する技術の一例が記載されている。
【０００３】
具体的に特許文献１には、受信画像データを蓄積し、受信した画情報中で指定された通常解像度印刷時出力色を取り出して設定し、受信した画情報中に精細解像度で印刷する精細解像度印刷指定情報が含まれているか否かを検出し、精細解像度印刷指定情報を検出したとき設定された通常解像度印刷時出力色を、画情報中で指定された精細解像度印刷時出力色に設定変更する色仕分け機能付きファクシミリ装置が記載されている。この構成により、出力用紙の仕分け方法を提案するとともに、精細解像度印刷モードで印刷が行なわれたことを容易にユーザに知らせようとする（特許文献１：請求項１、要約、段落［０００４］）。
【先行技術文献】
【特許文献】
【０００４】
【特許文献１】特開２００４−０３２３８２号公報
【発明の概要】
【発明が解決しようとする課題】
【０００５】
画像形成装置の排出トレイは、１つのみの場合がある。先の印刷ジョブの印刷物が排出トレイから取り除かれる前に、次の印刷ジョブの印刷物が排出された場合、１つの排出トレイに複数の印刷ジョブの印刷物が重ねられる。そして、複数重ねられた書類の境界がわかりづらいという問題がある。書類と書類の境界がわかりづらいので、仕分け作業に手間がかかる。また、重ねられた印刷物の枚数、及び、重ねられた書類数（印刷ジョブ数）が多いほど仕分け作業に手間がかかる。なお、画像形成装置には、複数の排出先を有する後処理装置（フィニッシャー）が用意されることがある。しかし、通常、後処理装置はオプション装置であり、画像形成装置に増設することが必要である。
【０００６】
また、書類整理のため、複数の書類をひとつに綴じる場合がある。書類と書類の境界がわかりづらいので、書類束から閲覧したいページを探す場合、手間がかかる。重ねられた書類の境界がわかりづらい問題は、書類を閲覧する場合にも関係がある。
【０００７】
ここで、特許文献１記載の技術では、通常解像度で印刷する受信文書と、精細解像度で印刷する受信文書の出力色を異ならせる。ファクシミリ装置は単色印刷が前提であるので、書類全体の出力色を書類単位で変えることができる。しかし、特許文献１記載の技術を適用すると、必ず単色で印刷される。つまり、特許文献１記載の技術は、カラーの書類印刷に適用できない。また、赤色のような有彩色の単色で印刷された書類は見づらい場合が多い。
【０００８】
さらに、特許文献１記載の技術では、通常解像度の受信文書が続いたとき、あるいは、精細解像度の受信文書が続いたとき、同じ出力色の受信文書が排出トレイに積み重ねられる場合がある。従って、特許文献１記載の技術でも受信文書の印刷物の仕分けに手間がかかる場合がある。また、特許文献１記載の技術では、ファクシミリ装置の送信側が精細解像度印刷指定情報を付す機能を有する必要があり、その機能を送信側のファクシミリ装置が有しない場合、通常解像度出力色のみを用いた出力がなされる。このように、特許文献１記載の技術では、上記問題を十分に解決することはできない。
【０００９】
本発明は、上記問題点を鑑み、特別な装置、構造を設けることなく、重ねられた複数の書類の境界をわかりやすくする。
【課題を解決するための手段】
【００１０】
上記課題を達成するために請求項１に係る画像形成装置は、データ入力部、印刷部、制御部を含む。前記データ入力部は、書類の印刷に用いる印刷用データの入力を受ける。前記印刷部は、カラー印刷可能であり、前記データ入力部に入力された前記印刷用データに基づき印刷ジョブを実行する。前記制御部は、前記印刷ジョブで印刷しようとするページのうち、書類に関する付記情報を配する領域として予め定められた余白領域が白紙でないページを第１情報付記ページと認識し、各前記第１情報付記ページのうち、同一又は類似の前記付記情報が設定されているページを第２情報付記ページと判定し、前記第２情報付記ページについては、前記余白領域に分類用画像を前記印刷部に印刷させ、１つの前記印刷ジョブの各ページに付す前記分類用画像の色を統一するとともに、前記印刷ジョブごとに前記分類用画像の色を異ならせる。前記余白領域は、ヘッダー領域とフッダー領域の何れか一方又は両方である。前記付記情報は、前記ヘッダー領域に配されたヘッダー情報と前記フッター領域に配されたフッター情報の何れか一方又は両方である。
【発明の効果】
【００１１】
本発明によれば、重ねられた書類と書類の境界をわかりやすくすることができる。さらに、コスト上昇を招くような特別な装置、構造は必要が無い。
【図面の簡単な説明】
【００１２】
【図１】実施形態に係る複合機の一例を示す図である。
【図２】実施形態に係る各画像形成ユニットの一例を示す図である。
【図３】実施形態に係る複合機での印刷用データの取り扱いを説明するための図である。
【図４】実施形態に係る分類用画像印刷モードの一例を示す図である。
【図５】実施形態に係る分類用画像印刷設定画面の一例を示す図である。
【図６】実施形態に係る分類用画像印刷モードでの印刷の流れの一例を示すフローチャートである。
【図７】付記情報が付された印刷物の一例を示す図である。
【図８】付記情報を分類用画像に置き換えた印刷物の一例を示す図である。
【図９】全ページに分類用画像を付した印刷物の一例を示す図である。
【図１０】実施形態に係る差し替え印刷の流れの一例を示す図である。
【図１１】差し替え印刷で印刷されたページの一例を示す図である。
【図１２】実施形態に係る目次一覧設定画面の一例を示す図である。
【図１３】実施形態に係る目次一覧印刷の処理の流れの一例を示す図である。
【図１４】印刷された目次一覧の一例を示す図である。
【発明を実施するための形態】
【００１３】
以下、図１〜図１４を用いて、本発明に係る画像形成装置を説明する。画像形成装置として複合機１００を例に挙げて説明する。但し、本実施の形態に記載されている構成、配置等の各要素は、発明の範囲を限定するものではなく単なる説明例にすぎない。
【００１４】
（複合機１００の概要）
まず、図１を用いて実施形態に係る複合機１００の概要を説明する。図１は、実施形態に係る複合機１００の一例を示す図である。
【００１５】
複合機１００は、制御部１と記憶部２を含む。制御部１は、装置全体の動作を統括し複合機１００の各部を制御する。制御部１は、演算、制御に関する処理を行うＣＰＵ１１、画像データに関する処理を行う画像処理部１２を含む。例えば、画像処理部１２は、印刷に必要な画像処理を画像データに施す。記憶部２はＲＯＭ、ＲＡＭ、ＨＤＤのような記憶装置を含み、制御用プログラムや各種データを記憶する。
【００１６】
又、制御部１は、原稿搬送部３ａ、画像読取部３ｂ（データ入力部に相当）と接続される。原稿搬送部３ａは、セットされた原稿を読み取り位置に向けて搬送する。画像読取部３ｂは、原稿搬送部３ａに搬送される原稿や、原稿台（コンタクトガラス、不図示）にセットされた原稿を読み取り、画像データを生成する。制御部１は、原稿搬送部３ａと画像読取部３ｂの動作を制御する。
【００１７】
制御部１は、操作パネル４と接続される。操作パネル４は、表示パネル４１、タッチパネル４２、ハードキー４３を含む。制御部１は表示パネル４１の表示を制御する。制御部１は、設定画面、複合機１００の状態、メッセージのような情報を表示パネル４１に表示させる。制御部１は、タッチパネル４２の出力に基づき、表示パネル４１に表示されたソフトキーやボタンのような操作画像のうち、操作された操作画像を認識する。また、制御部１は、操作されたハードキー４３を認識する。そして、制御部１は操作された操作画像やハードキー４３に応じた画面への切替を表示パネル４１に行わせる。また、制御部１は、操作パネル４でなされた設定操作の内容を認識し、設定どおりに動作するように複合機１００を制御する。
【００１８】
複合機１００は、印刷部５を含む。印刷部５は、給紙部５ａ、搬送部５ｂ、画像形成部５ｃ、中間転写部５ｄ、定着部５ｅを含む。制御部１は、印刷ジョブのとき用紙を一枚ずつ給紙部５ａに供給させる。制御部１は、用紙を画像形成部５ｃ、定着部５ｅを経て排出トレイ（不図示）まで搬送部５ｂに搬送させる。制御部１は、搬送部５ｂより搬送される用紙にのせるトナー像を画像形成部５ｃに形成させる。また、制御部１は、画像形成部５ｃで形成されたトナー像の一次転写を中間転写部５ｄに受けさせ、トナー像の用紙への二次転写を中間転写部５ｄに行わせる。制御部１は、トナー像が転写された用紙を定着部５ｅに加熱、加圧させる。これにより、用紙にトナー像が定着する。搬送部５ｂは、印刷済用紙を排出トレイに排出する。
【００１９】
又、複合機１００は通信部１３（データ入力部に相当）を含む。通信部１３は、ＰＣやサーバーのようなコンピューター２００と通信するためのインターフェイスである。尚、通信部１３とコンピューター２００はＵＳＢケーブルなどにより直接的に通信可能に接続されてもよい。通信部１３は、コンピューター２００から画像データのような印刷内容を示すデータや印刷に関する設定のデータを含む印刷用データを受信する。
【００２０】
（画像形成部５ｃでのカラー印刷）
次に、図１、図２を用いて、実施形態に係る複合機１００でのカラー印刷を行うための構成の一例を説明する。図２は、実施形態に係る各画像形成ユニット５１の一例を示す図である。
【００２１】
印刷部５は、カラー印刷を行える。カラー印刷のため、画像形成部５ｃは、４色分の画像形成ユニット５１Ｂｋ（ブラック）、５１Ｙ（イエロー）、５１Ｃ（シアン）、５１Ｍ（マゼンタ）を含む。また、画像形成部５ｃは、露光装置５２も含む（図１参照）。各画像形成ユニット５１Ｂｋ〜５１Ｍは形成するトナー像の色が異なるが、いずれも同様の構成である。そこで、以下ではブラック用の画像形成ユニット５１Ｂｋを例に挙げて説明する。他の画像形成ユニット５１も同様に説明にでき、以下の説明では色を示すＢｋ、Ｙ、Ｃ、Ｍの符号は特に説明する場合を除き省略する。
【００２２】
図２に示すように、各画像形成ユニット５１は、感光体ドラム５３、帯電装置５４、現像装置５５、クリーニング装置５６を含む。感光体ドラム５３は、所定の周速で回転する。帯電装置５４は、感光体ドラム５３の表面を一定電位で帯電させる。露光装置５２は、画像データをカラー色分解した画像信号に基づいた光信号（レーザー光、図２で破線で図示）で帯電後の感光体ドラム５３の走査露光を行う。これにより、感光体ドラム５３の周面に画像データに併せた静電潜像が形成される。各現像装置５５は、ブラック、イエロー、シアン、マゼンタの何れかの色のトナーを収容する。現像装置５５は、対応する感光体ドラム５３の静電潜像をトナーで現像する。現像により生成されたトナー像は、中間転写部５ｄの中間転写ベルト５７に一次転写される。中間転写部５ｄは、中間転写ベルト５７のトナー像を用紙に２次転写する。クリーニング装置５６は、感光体ドラム５３の表面を擦って残トナーを除去する。
【００２３】
（印刷用データ）
次に、図３を用いて、実施形態に係る複合機１００での印刷用データの取り扱いについて説明する。図３は、実施形態に係る複合機１００での印刷用データの取り扱いを説明するための図である。
【００２４】
複合機１００では、印刷を伴うジョブとして、コピージョブ、プリントジョブ、ボックス印刷ジョブを行うことができる。コピージョブは、画像読取部３ｂが原稿を読み取って生成した画像データに基づき印刷を行うジョブである。プリントジョブは、コンピューター２００から送信されたデータに基づき印刷を行うジョブである。
【００２５】
コピージョブでは、画像読取部３ｂが原稿を読み取って原稿の画像データを生成する。制御部１は、画像読取部３ｂが生成した画像データを印刷用データとして記憶部２に一時的に記憶させる。画像処理部１２は、操作パネル４でのコピーに関する設定に応じた画像処理を画像データに施す。記憶部２は、画像処理後の画像データを記憶する。そして、コピージョブの開始に伴って画像処理後の画像データは露光装置５２に送信される。印刷部５は受信した画像データに基づきコピージョブを行う。
【００２６】
プリントジョブでは、通信部１３がコンピューター２００から受信した印刷用データに基づき印刷ジョブが行われる。通信部１３は、コンピューター２００で印刷が指示されたファイルのファイル名（名前）、ファイルの内容をページ記述言語で記述したデータ、ファイル内容を示す画像データ、コンピューター２００のプリンタードライバーソフトウェアで設定された設定内容を示すデータを印刷用データとして受信する。制御部１は、通信部１３が受信した印刷用データを記憶部２に記憶させる。画像処理部１２は、ページ記述言語で記述されたデータやファイル内容を示す画像データを解析し、解析結果に基づき各ページの印刷用の画像データを生成し、コンピューター２００でなされた設定に応じた画像処理を画像データに施す。そして、画像処理後の画像データは印刷部５に向けて送信される。印刷部５は受信した画像データに基づきプリントジョブを行う。
【００２７】
ボックス印刷ジョブは、記憶部２に設けられたボックス領域に不揮発的に記憶された画像データに基づき印刷を行うジョブである。複合機１００のボックス機能では、画像読取部３ｂが原稿を読み取って生成した画像データや、通信部１３が受信した画像データを記憶部２のボックス領域にボックス保存データＤ１として不揮発的に記憶させることができる。ボックス印刷ジョブは、ボックス保存データＤ１（画像データ）を好きなときに再利用するジョブといえる。
【００２８】
操作パネル４は、利用するボックス保存データＤ１の選択を受け付ける。画像処理部１２は、操作パネル４でのボックス印刷ジョブに関する設定に応じた画像処理を、選択されたボックス保存データＤ１に施す。画像処理により得られた画像データは露光装置５２に送信され、画像データに基づくボックス印刷ジョブが印刷部５で行われる。
【００２９】
このように、画像読取部３ｂ、通信部１３は、コピージョブ、プリントジョブ、ボックス印刷ジョブのような印刷ジョブに用いる印刷用データの画像形成装置への入力を受けるデータ入力部として機能する。印刷部５は、入力された印刷用データ（画像データ）に基づき、印刷ジョブを実行する。
【００３０】
（分類用画像印刷モード）
次に、図４を用いて、実施形態に係る複合機１００が搭載する分類用画像印刷モードの概要を説明する。図４は、実施形態に係る分類用画像印刷モードの一例を示す図である。
【００３１】
書類の余白領域６に書類に関する付記情報７を配することがある。余白領域６はヘッダー領域６ｈやフッター領域６ｆである。ヘッダー領域６ｈは、書類の上端辺からページの先頭行までの間に設けられる。例えば、書類の上端辺から下側の一定幅の帯状（短冊状）の領域がヘッダー領域６ｈと扱われる。フッター領域６ｆは、書類の下端辺からページの最終行までの間に設けられる。例えば、書類の下端辺からページの上側の一定幅の帯状（短冊状）の領域がフッター領域６ｆと扱われる。通常、ヘッダー領域６ｈとフッター領域６ｆの位置や幅は、ワープロソフトや表計算ソフトのような書類作成に用いるソフトウェアで設定することができる。
【００３２】
余白領域６に配される付記情報７は、例えば、会社名、書類のタイトル、作成日のような文字、数字である。社章や機密書類であることを示す図形が付記情報７として余白領域６に配されることもある。ヘッダー領域６ｈに配された付記情報７がヘッダー情報７ｈである。フッター領域６ｆに配された付記情報７がフッター情報７ｆである。通常、書類作成に用いるソフトウェア上で、余白領域６に挿入する情報の設定が行われる。
【００３３】
そして、複合機１００では、操作パネル４で所定の操作を行うことにより、複合機１００を分類用画像印刷モードとすることができる。言い換えると、操作パネル４は、分類用画像印刷モードで印刷ジョブを実行する設定を受け付ける。
【００３４】
分類用画像印刷モードでの印刷ジョブでは、制御部１は、各ページの付記情報７の代わりに分類用画像８を印刷部５に印刷させる。分類用画像８は書類の種別をわかりやすくするための画像である。言い換えると、分類用画像８は、印刷ジョブで印刷される書類のうちの１ページであることを示す画像（１つの書類の印刷において各ページに印刷される識別用の画像）である。分類用画像８は、余白領域６（ヘッダー領域６ｈとフッター領域６ｆの何れか一方、又は両方）に配される。分類用画像８は、有彩色とされる。目立つように、分類用画像８は、例えば、ページの左右方向の幅の１／２以上とされる。複合機１００での分類用画像８は、ページの左右方向を長手方向とする帯状の（細長い矩形の）色付き図形である。
【００３５】
図４は、分類用画像印刷モードの印刷にて、ヘッダー領域６ｈに配されたヘッダー情報７ｈに代えて、分類用画像８を印刷した例を示している。１つの印刷ジョブでは、各ページに付される分類用画像８の色は同じである。例えば、印刷ジョブの４ページ目と５ページ目に分類用画像８を付す場合、４ページ目と５ページ目の分類用画像８は同じ色とされる。一方で、分類用画像８の色は、印刷ジョブごとに異なる。
【００３６】
（分類用画像印刷モードに関する設定）
次に、図５を用いて、実施形態に係る分類用画像印刷モードに関する設定の一例を説明する。図５は、実施形態に係る分類用画像印刷設定画面Ｓ１の一例を示す図である。
【００３７】
分類用画像印刷モードでコピージョブやボックス印刷ジョブを行うための所定の操作が操作パネル４（タッチパネル４２やハードキー４３）になされたとき、制御部１は、分類用画像印刷設定画面Ｓ１を表示パネル４１に表示させる。分類用画像印刷モードでプリントジョブを行うための操作がコンピューター２００でなされたとき、コンピューター２００にインストールされたプリンタードライバーソフトウェアは、分類用画像印刷設定画面Ｓ１をコンピューター２００のディスプレイ２０１に表示させる。
【００３８】
分類用画像印刷設定画面Ｓ１には、分類用画像印刷モードでの印刷開始の指示のため、実行開始キーＫ１が配される。実行開始キーＫ１が操作されたとき、制御部１は、分類用画像印刷モードでのコピージョブやボックス印刷ジョブを印刷部５に行わせる。また、プリンタードライバーソフトウェアは、印刷用データの生成と、生成した印刷用データの通信部１３に向けての送信をコンピューター２００に行わせる。
【００３９】
また、分類用画像印刷設定画面Ｓ１には、色自動選択キーＫ２、色選択画面移行キーＫ３、第１ページ指定キーＫ４、第２ページ指定キーＫ５、第１配置設定キーＫ６、第２配置設定キーＫ７、第３配置設定キーＫ８が設けられる。
【００４０】
色自動選択キーＫ２と色選択画面移行キーＫ３は、分類用画像８の色を設定するためのキーである。使用者は、分類用画像８を制御部１に自動選択させるとき、色自動選択キーＫ２を操作する。図５は、色自動選択キーＫ２が選択された状態の一例を示す。色自動選択キーＫ２が操作されたとき、制御部１は、分類用画像印刷モードで印刷する分類用画像８の色を定める。
【００４１】
具体的に、複合機１００では、分類用画像８に用いる色、及び、用いる色の順番を定めた色順データＤ２（図３参照）が記憶部２に不揮発的に記憶される。例えば、色順データＤ２で定義される色は２０色程度とされる。前の順番の色と次の順番の色との色相が一定以上離れるように色順データＤ２が定められる。色自動選択キーＫ２が選択された状態で分類用画像印刷モードの印刷ジョブが実行されたとき、制御部１は、１回前に自動選択した色の次の順番の色を分類用画像８の色と定める。最後の順番に到ったとき、順番は先頭に戻る。
【００４２】
一方、使用者は、分類用画像８の色を自分で選択するとき、色選択画面移行キーＫ３を操作する。色選択画面移行キーＫ３が操作されたとき、制御部１は、色選択画面（不図示）を表示パネル４１に表示させる。色選択画面には、色を選択するためのパレットが表示される。制御部１は、色選択画面で選択された色を分類用画像８の色に設定する。
【００４３】
第１ページ指定キーＫ４と第２ページ指定キーＫ５は、分類用画像８を付すページを指定するためのキーである。使用者は、ヘッダー情報７ｈやフッター情報７ｆが配されているページのみ分類用画像８を付すとき、第１ページ指定キーＫ４を操作する。図５は、第１ページ指定キーＫ４が選択された状態の一例を示す。第１ページ指定キーＫ４が選択された状態で分類用画像印刷モードの印刷ジョブが実行されたとき、制御部１は、ヘッダー情報７ｈやフッター情報７ｆがあるページに分類用画像８を印刷させる。一方、印刷ジョブの全ページに分類用画像８を付すとき、第２ページ指定キーＫ５を操作する。第２ページ指定キーＫ５が選択された状態で分類用画像印刷モードの印刷ジョブが実行されたとき、制御部１は、全ページに分類用画像８を印刷する。
【００４４】
第１配置設定キーＫ６、第２配置設定キーＫ７、第３配置設定キーＫ８は、印刷ジョブのページのうち、分類用画像８を付す位置を指定するためのキーである。印刷ジョブのページに付されているヘッダー情報７ｈに代えて分類用画像８を付すとき、使用者は、第１配置設定キーＫ６を操作する。図５は、第１配置設定キーＫ６が選択された状態の一例を示す。印刷ジョブのページに付されているフッター情報７ｆに代えて分類用画像８を付すとき、使用者は、第２配置設定キーＫ７を操作する。印刷ジョブのページに付されているヘッダー情報７ｈとフッター情報７ｆの両方に代えて分類用画像８を付すとき、使用者は、第３配置設定キーＫ８を操作する。
【００４５】
（分類用画像印刷モードでの処理の流れ）
次に、図６〜図９を用いて、実施形態に係る複合機１００での分類用画像印刷モードでの処理の流れの一例を説明する。図６は、実施形態に係る分類用画像印刷モードでの印刷の流れの一例を示すフローチャートである。図７は、付記情報７が付された印刷物の一例を示す図である。図８は、付記情報７を分類用画像８に置き換えた印刷物の一例を示す図である。図９は、全ページに分類用画像８を付した印刷物の一例を示す図である。
【００４６】
図６のスタートは、分類用画像印刷モードで印刷ジョブを開始する時点である。コピージョブやボックス印刷ジョブのとき、スタートは、タッチパネル４２が分類用画像印刷設定画面Ｓ１で実行開始キーＫ１の操作を検知した時点である。また、分類用画像印刷モードに関する設定がなされた状態で操作パネル４のスタートキーが操作された時点でもよい。プリントジョブのとき、コンピューター２００のディスプレイ２０１に表示された分類用画像印刷設定画面Ｓ１上で実行開始キーＫ１がマウス等の操作用デバイスにより操作された時点である。
【００４７】
まず、制御部１は、入力された印刷用データに基づき、印刷ジョブに含まれる全ページの画像データを用意する（ステップ♯１１）。コピージョブのとき、制御部１は、画像読取部３ｂに原稿の読み取りを行わせ、全ての原稿の画像データを生成させる。ボックス印刷ジョブのとき、制御部１は、利用するボックス保存データＤ１の各ページを読み出す。プリントジョブのとき、制御部１は、通信部１３が受信した印刷用データ（ページ記述言語で書かれた各ページのデータ）に基づき、各ページの画像データ（ラスターデータ）化を画像処理部１２に行わせる。
【００４８】
また、制御部１は、分類用画像印刷設定画面Ｓ１での設定に基づき、分類用画像８に用いる色を決定する（ステップ♯１２）。また、分類用画像印刷設定画面Ｓ１でなされた設定に基づき、制御部１は、全ページに分類用画像８を付すか否かを確認する（ステップ♯１３）。全ページに分類用画像８を付さないとき（ステップ♯１３のＮｏ）、各ページの画像データのヘッダー領域６ｈとフッター領域６ｆの何れか一方又は両方を確認し、余白領域６が白紙でないページを第１情報付記ページ９１と認識する（ステップ♯１４）。一定値以上濃い画素の個数が多いとき、何らかの情報が配されていると考えられる。そこで、制御部１は、余白領域６内において、一定値以上濃い画素の個数が所定の個数以上のとき、余白領域６が白紙でないと判定する。
【００４９】
ヘッダー領域６ｈに分類用画像８を付す設定のとき（第１配置設定キーＫ６が選択されているとき）、制御部１は、各ページの画像データのヘッダー領域６ｈを確認し、ヘッダー領域６ｈが白紙でないページを第１情報付記ページ９１と認識する。フッター領域６ｆに分類用画像８を付す設定のとき（第２配置設定キーＫ７が選択されているとき）、制御部１は、各ページの画像データのフッター領域６ｆを確認し、フッター領域６ｆが白紙でないページを第１情報付記ページ９１と認識する。ヘッダー領域６ｈとフッター領域６ｆの両方に分類用画像８を付す設定のとき（第３配置設定キーＫ８が選択されているとき）、制御部１は、各ページの画像データのヘッダー領域６ｈとフッター領域６ｆを確認し、両領域が白紙でないページを第１情報付記ページ９１と認識する。
【００５０】
制御部１は、第１情報付記ページ９１のうち、同一又は類似の付記情報７が設定されているページを第２情報付記ページ９２と判定する（ステップ♯１５）。具体的に、制御部１は、第１情報付記ページ９１の画像データのヘッダー領域６ｈやフッター領域６ｆに含まれる付記情報７の内容を確認する。
【００５１】
ヘッダー領域６ｈに分類用画像８を付す設定のとき、制御部１は、各ページの画像データのヘッダー領域６ｈの画像を確認する。フッター領域６ｆに分類用画像８を付す設定のとき、制御部１は、各ページの画像データのフッター領域６ｆの画像を確認する。ヘッダー領域６ｈとフッター領域６ｆの両方に分類用画像８を付す設定のとき、制御部１は、各ページの画像データのヘッダー領域６ｈとフッター領域６ｆの画像を確認する。このように、制御部１は、各ページの画像データのうち分類用画像８を付そうとする余白領域６を確認し、同一又は類似の付記情報７が付されているページを認識する。
【００５２】
画像のマッチング処理に基づき、第２情報付記ページ９２か否かの判定が行われてもよい。ヘッダー領域６ｈに分類用画像８を付す設定のとき、制御部１は、あるページのヘッダー領域６ｈの画像データと他のページのヘッダー領域６ｈの画像データを比較し、類似度が一定値以上のとき、両ページを第２情報付記ページ９２と判定する。フッター領域６ｆに分類用画像８を付す設定のとき、制御部１は、あるページのフッター領域６ｆの画像データと他のページのフッター領域６ｆの画像データを比較し、類似度が一定値以上のとき、両ページを第２情報付記ページ９２と判定する。ヘッダー領域６ｈとフッター領域６ｆの両方に分類用画像８を付す設定のとき、制御部１は、あるページのヘッダー領域６ｈの画像データと他のページのヘッダー領域６ｈの画像データ、及びあるページのフッター領域６ｆの画像データと他のページのフッター領域６ｆの画像データを比較し、ヘッダー領域６ｈとフッター領域６ｆの両方で類似度が一定値以上のとき、両ページを第２情報付記ページ９２と判定する。
【００５３】
更に、ＯＣＲ処理に基づき、第２情報付記ページ９２の判定を行ってもよい。ヘッダー領域６ｈに分類用画像８を付す設定のとき、制御部１は、各ページのヘッダー領域６ｈに対してＯＣＲ処理を行ってテキストを取得し、他のページと同じテキストが得られたページを第２情報付記ページ９２と判定する。フッター領域６ｆに分類用画像８を付す設定のとき、制御部１は、各ページのフッター領域６ｆに対してＯＣＲ処理を行ってテキストを取得し、他のページと同じテキストが得られたページを第２情報付記ページ９２と判定する。ヘッダー領域６ｈとフッター領域６ｆの両方に分類用画像８を付す設定のとき、制御部１は、各ページのヘッダー領域６ｈとフッター領域６ｆに対してＯＣＲ処理を行ってテキストを取得し、他のページとヘッダー領域６ｈとフッター領域６ｆの両方で同じテキストが得られたページを第２情報付記ページ９２と判定する。
【００５４】
また、プリントジョブでは、コンピューター２００から送信される印刷用データがページ記述言語で記載されている場合がある。ページ記述言語で記載されたデータには、ヘッダー領域６ｈやフッター領域６ｆに関し記述（設定）されていることがある。そこで、制御部１は、ページ記述言語で記載されたデータを確認することにより、同一又は類似の付記情報７が配されているか否かを確認してもよい。
【００５５】
図７は、全部で８ページの印刷ジョブのうち、最初のページに付記情報７が付されず、２〜８ページに付記情報７が付された印刷ジョブの一例を示す。ヘッダー領域６ｈに分類用画像８を付す設定がなされている場合、図７（ａ）の印刷ジョブでは、制御部１は、２〜８ページを第２情報付記ページ９２と判定する。フッター領域６ｆに分類用画像８を付す設定がなされている場合、図７（ｂ）の印刷ジョブでは、制御部１は、２〜８ページを第２情報付記ページ９２と判定する。ヘッダー領域６ｈとフッター領域６ｆに分類用画像８を付す設定がなされている場合、図７（ｃ）の印刷ジョブでは、制御部１は、２〜８ページを第２情報付記ページ９２と判定する。
【００５６】
続いて、制御部１は、第２情報付記ページ９２の画像データの余白領域６に付記情報７に代えて分類用画像８を付す（ステップ♯１６）。制御部１は、ページの画像データのうち付記情報７のある部分に分類用画像８を上書きする。言い換えると、制御部１は、付記情報７が記されている領域の画素の画素値を分類用画像８の色の画素値に置換する。制御部１は、付記情報７に代えて配された分類用画像８を印刷部５に印刷させる。なお、制御部１は、余白領域６内かつ付記情報７を覆わないように分類用画像８を配してもよい。
【００５７】
具体的に、ヘッダー領域６ｈに分類用画像８を付す設定のとき、図８（ａ）に示すように、制御部１は、第２情報付記ページ９２の画像データのヘッダー領域６ｈに帯状の分類用画像８を配する。また、フッター領域６ｆに分類用画像８を付す設定のとき、図８（ｂ）に示すように、制御部１は、第２情報付記ページ９２の画像データのフッター領域６ｆに帯状の分類用画像８を配する。また、ヘッダー領域６ｈとフッター領域６ｆの両方に分類用画像８を付す設定のとき、図８（ｃ）に示すように、制御部１は、第２情報付記ページ９２の画像データのヘッダー領域６ｈとフッター領域６ｆの両方に帯状の分類用画像８を配する。図８では、付記情報７に代えて分類用画像８を付す例を示している。
【００５８】
一方、分類用画像印刷設定画面Ｓ１でなされた設定に基づき、全ページに分類用画像８を付す場合（ステップ♯１３のＹｅｓ）、制御部１は、それぞれのページの画像データの余白領域６であって、設定された位置に分類用画像８を配する（ステップ♯１７）。
【００５９】
具体的に、全ページのヘッダー領域６ｈに分類用画像８を付す設定のとき、図９（ａ）に示すように、制御部１は、各ページの画像データのヘッダー領域６ｈに帯状の分類用画像８を配する。また、全ページのフッター領域６ｆに分類用画像８を付す設定のとき、図９（ｂ）に示すように、制御部１は、各ページの画像データのフッター領域６ｆに帯状の分類用画像８を配する。また、全ページのヘッダー領域６ｈとフッター領域６ｆの両方に分類用画像８を付す設定のとき、図９（ｃ）に示すように、制御部１は、各ページの画像データのヘッダー領域６ｈとフッター領域６ｆの両方に帯状の分類用画像８を配する。図９では、何れの場合も、付記情報７に代えて分類用画像８を付す例を示している。ステップ♯１７の場合も、制御部１は、付記情報７に代えて分類用画像８を配してもよいし、付記情報７を覆わないように分類用画像８を余白領域６内に配してもよい。
【００６０】
ステップ♯１６、ステップ♯１７の後、制御部１は、所定の画像処理を行い、各ページの画像データへの処理を完了する（ステップ♯１８）。そして、制御部１は、画像処理後の画像データに基づき、印刷部５に各ページの印刷を行わせる（ステップ♯１９）。
【００６１】
印刷ジョブには、印刷ジョブに用いた印刷用データ（ファイル）のファイル名がわかるものがある。プリントジョブでは、コンピューター２００は、印刷が指示されたファイルのファイル名を印刷用データの一部として複合機１００の通信部１３に送信する。操作パネル４では、ソフトウェアキーボードでボックス保存データＤ１に所望のファイル名を付すことができる。プリントジョブやボックス印刷ジョブでは、制御部１は、印刷ジョブに用いた印刷用データのファイル名と分類用画像８の色を示すデータを含む履歴データＤ３を記憶部２に不揮発的に記憶させる（ステップ♯１１０→エンド）。
【００６２】
（差し替え印刷）
次に、図１０、図１１を用いて、実施形態に係る複合機１００での分類用画像８が付されたページの差し替え印刷の一例を説明する。図１０は、実施形態に係る差し替え印刷の流れの一例を示す図である。図１１は、差し替え印刷で印刷されたページの一例を示す図である。
【００６３】
分類用画像印刷モードで印刷した印刷物のうちの一部のページで訂正があったため、訂正があったページを差し替えたい場合がある。そこで、先に分類用画像印刷モードで実行された印刷ジョブの一部のページを印刷する場合（差し替え印刷の場合）、複合機１００は、自動的に分類用画像８を付す。差し替え印刷では、図６のステップ♯１１０で記憶された履歴データＤ３が用いられる。履歴データＤ３に基づき処理するので、プリントジョブとボックス印刷ジョブが差し替え印刷の対象となる。
【００６４】
図１０のスタートは、プリントジョブの印刷用データを通信部１３が受信した時点、又は、ボックス印刷ジョブの実行指示が操作パネル４になされた時点である。
【００６５】
制御部１は、履歴データＤ３を参照し、これから印刷しようとする印刷ジョブのファイル名が以前分類用画像印刷モードでの印刷に用いた印刷用データのファイル名と一致するか否かを確認する（ステップ♯２１）。プリントジョブのとき、制御部１は各履歴データＤ３に含まれるファイル名と通信部１３が受信した印刷用データに含まれるファイル名を比較する。ボックス印刷ジョブのとき、制御部１は、各履歴データＤ３に含まれるファイル名と操作パネル４で利用すると選択されたボックス保存データＤ１のファイル名を比較する。
【００６６】
一致する履歴データＤ３が無いとき（ステップ♯２１のＮｏ）、制御部１は、通常の印刷を印刷部５に行わせる（ステップ♯２２→エンド）。言い換えると、制御部１は、分類用画像印刷モードで印刷されたページの差し替えのページであることを示すための処理を行わない。一致する履歴データＤ３があるとき（ステップ♯２１のＹｅｓ）、制御部１は、一部のページの印刷か否かを確認する（ステップ♯２３）。全ページの印刷のとき（ステップ♯２３のＮｏ）、差し替えの印刷とは言えないので、制御部１は、通常の印刷を印刷部５に行わせる（ステップ♯２２）。一方、一部のページの印刷のとき（ステップ♯２３のＹｅｓ）、制御部１は、これから差し替え印刷するページの画像データを用意する（ステップ♯２４）。
【００６７】
制御部１は、ファイル名が一致した履歴データＤ３で示される色（以前に印刷した分類用画像８の色）を確認する（ステップ♯２５）。そして、制御部１は、差し替え印刷するページの画像データに付す分類用画像８の色（差し替え色）を定める（ステップ♯２６）。具体的に、制御部１は、以前に印刷した分類用画像８の色（ファイル名が一致した履歴データＤ３で示される色）と異なるが同色系の色を差し替え色と定める。例えば、制御部１は、以前に印刷した分類用画像８の色と彩度と明度の何れか一方又は両方が異なる色を差し替え色と定める。例えば、制御部１は、以前に印刷した分類用画像８の色に少量の黒成分を混ぜて濃く（暗く）した色を差し替え色と定める。
【００６８】
制御部１は、ページの画像データの余白領域６に差し替え色の分類用画像８を付す（ステップ♯２７）。なお、制御部１は、分類用画像印刷モードでの印刷時に分類用画像８を配した位置も履歴データＤ３の一部として記憶部２に記憶させる。制御部１は、ファイル名が一致する履歴データＤ３で示される位置と同じ位置に分類用画像８を付す。これにより、先の分類用画像印刷モードでの印刷ジョブと同じ位置に分類用画像８が配される。
【００６９】
制御部１は、差し替え色の分類用画像８が付されたページの画像データに基づき、印刷部５に印刷を行わせる（ステップ♯２８）。これにより、差し替えても違和感が無く、かつ、差し替えがわかるような色の分類用画像８が付されたページを印刷することができる。そして、フローは終了する（エンド）。図１１は、以前に実行した分類用画像８が付された８ページの印刷ジョブのうち、２ページ目を差し替えた場合の一例を示す。
【００７０】
（目次一覧印刷）
次に、図１２〜図１４を用いて、実施形態に係る複合機１００での目次一覧印刷の一例を説明する。図１２は、実施形態に係る目次一覧設定画面Ｓ２の一例を示す図である。図１３は、実施形態に係る目次一覧印刷の処理の流れの一例を示す図である。図１４は、印刷された目次一覧９３の一例を示す図である。
【００７１】
複数の印刷ジョブの印刷物をまとめて綴じる場合がある。複合機１００では、分類用画像８の色やファイル名の一覧である目次一覧９３を印刷することができる。目次一覧９３は、綴じられた複数の印刷物の目次として利用できる。
【００７２】
以下、複合機１００での履歴データＤ３を利用した目次一覧９３の印刷を説明する。図１２は、目次一覧設定画面Ｓ２の一例を示す。目次一覧設定画面Ｓ２を表示する所定の操作が操作パネル４になされたとき、制御部１は、目次一覧設定画面Ｓ２を表示パネル４１に表示させる。
【００７３】
目次一覧設定画面Ｓ２には、履歴データ表示領域Ｆ１が設けられる。履歴データ表示領域Ｆ１は複数の行を含み、１行に１つの履歴データＤ２の内容を表示させる。制御部１は、行内に分類用画像印刷モードに用いた印刷用データのファイル名と、その印刷で付された分類用画像８の色を示す画像を表示させる。また、図１２に示すように、印刷ジョブが実行された日時を表示してもよい。日時を表示するため、分類用画像印刷モードで印刷が行われたとき、制御部１は、履歴データＤ３に印刷日時を示すデータを含めさせる。尚、履歴データ表示領域Ｆ１に表示できる行数（履歴データＤ３の個数）は限りがある。スクロールバーＢ１を操作して他の履歴データＤ３を表示させることができる。
【００７４】
また、行内をタッチすることにより履歴データＤ３を仮選択状態とすることができる。図１２は、サンプル表紙のファイル名を含む履歴データＤ３の行を仮選択状態としている例を示す。仮選択状態で画面内の選択キーＫ９を操作して履歴データＤ３の選択を確定させることができる。制御部１は、選択が確定された順番（選択順）を把握する。なお、制御部１は、選択確定された履歴データＤ３（行）を表示しないようにしてもよい。
【００７５】
次に、図１３を用いて、目次一覧９３の印刷の流れを説明する。図１３のフローチャートのスタートは、目次一覧設定画面Ｓ２が表示された時点である。
【００７６】
使用者は、目次一覧９３に含める全ての履歴データＤ３の選択確定まで、操作パネル４での操作を続ける。タッチパネル４２の出力に基づき、制御部１は、操作パネル４で選択確定された履歴データＤ３と、その選択順を認識する（ステップ♯３１）。
【００７７】
そして、タッチパネル４２の出力に基づき、制御部１は、目次一覧設定画面Ｓ２に配された実行開始キーＫ１０が操作されたか否かを確認する（ステップ♯３２）。実行開始キーＫ１０がまだ操作されていないとき（ステップ♯３２のＮｏ）、フローは、ステップ♯３１に戻る。実行開始キーＫ１０が操作されたとき（ステップ♯３２のＹｅｓ）、制御部１は、目次一覧９３の画像データを生成する（ステップ♯３３）。そして、制御部１は生成した目次一覧９３の画像データに基づき、目次一覧９３を印刷部５に印刷させる（ステップ♯３４→エンド）。
【００７８】
具体的に、制御部１は、履歴データでの色の見本画像９３１（色付の帯状図形）とファイル名の組み合わせを選択された履歴データＤ３ごとに並べた画像データを生成する。制御部１は、履歴データＤ３の配列順と、目次一覧設定画面Ｓ２での選択順とを一致させる。図１４は、印刷された目次一覧９３の一例を示す。図１４は、上から順にかつ用紙の縦方向に見本画像９３１とファイル名の組み合わせを並べる例を示している。図１４は、横方向にファイル名と見本画像９３１を描く例を示している。綴じられた書類束に目次一覧９３を加えることで、分類用画像８のどの色がどの書類に付されているか直ぐにわかる。
【００７９】
このようにして、実施形態に係る画像形成装置（複合機１００）は、データ入力部（画像読取部３ｂ、通信部１３）、印刷部５、制御部１を含む。データ入力部は、書類の印刷に用いる印刷用データの入力を受ける。印刷部５は、カラー印刷可能であり、データ入力部に入力された印刷用データに基づき印刷ジョブを実行する。制御部１は、印刷ジョブで印刷しようとするページのうち、書類に関する付記情報７を配する領域として予め定められた余白領域６が白紙でないページを第１情報付記ページ９１と認識し、各第１情報付記ページ９１のうち、同一又は類似の付記情報７が設定されているページを第２情報付記ページ９２と判定し、第２情報付記ページ９２については、余白領域６に分類用画像８を印刷部５に印刷させ、１つの印刷ジョブの各ページに付す分類用画像８の色を統一するとともに、印刷ジョブごとに分類用画像８の色を異ならせる。余白領域６は、ヘッダー領域６ｈとフッター領域６ｆの何れか一方又は両方である。付記情報７は、ヘッダー領域６ｈに配されたヘッダー情報７ｈとフッター領域６ｆに配されたフッター情報７ｆの何れか一方又は両方である。
【００８０】
これにより、余白領域６に各印刷ジョブ（書類）で異なる色の分類用画像８を自動的に印刷することができる。従って、書類と書類を重ねても、分類用画像８の色が切り替わっている部分が境界のページ又は境界に近いページとなるので、書類と書類の境界がわかりやすくなる。従って、排出トレイに重ねられた複数の書類を容易に仕分けることができる。また、複数の書類が綴じられた場合でも、書類と書類の境界を容易に見分けることができ、閲覧したいページを容易に探すことができる。また、特別な構造、装置を設ける必要はなく、画像形成装置の製造コスト上昇はない。
【００８１】
また、複合機１００は、印刷ジョブに用いた印刷用データのファイル名とその印刷ジョブで付された分類用画像８の色を示すデータを少なくとも含む履歴データＤ３を記憶する記憶部２を含む。記憶部２に記憶されているファイル名と同じファイル名の印刷用データに含まれる一部のページを印刷するとき、制御部１は、記憶部２に記憶された分類用画像８の色と異なるが同色系の分類用画像８を印刷部５に印刷させる。これにより、先の印刷ジョブで印刷されたページに付された分類用画像８の色と、差し替え印刷されたページに付された分類用画像８の色を異ならせつつ、似た色とすることができる。従って、差し替えても違和感が無いようにすることができる。しかも、同じ書類の他のページと比較して、差し替えられたページであることも示すことができる。
【００８２】
また、複合機１００は、使用者の設定操作を受け付ける操作パネル４を含む。操作パネル４が記憶部２に記憶された複数の履歴データＤ３の中から１又は複数の履歴データＤ３を選択する選択入力と、選択入力の後に目次一覧９３の印刷の実行指示を受け付けたとき、制御部１は、目次一覧９３を印刷部５に印刷させる。目次一覧９３は、選択された履歴データＤ３ごとに、前記履歴データでの色の見本画像９３１とファイル名の組み合わせを並べた一覧である。これにより、分類用画像８が印刷された複数の書類が綴じられた書類の束の目次として目次一覧９３を使用することができる。従って、書類束の目次を容易に作成することができる。
【００８３】
また、分類用画像８は、ページの左右方向を長手方向とする帯状の図形である。これにより、余白領域６に印刷される分類用画像８は、書類の本文部分を消すことが無く、邪魔にならない。しかも、細長い帯状（棒状）の図形であるので見やすい。また、分類用画像８の形状はシンプルでありつつ、書類ごとに異なる色が付される。複数の書類を重ねた場合、分類用画像８の色が多様に変化するので、閲覧者の美感に訴えることができる。
【００８４】
また、操作パネル４が印刷ジョブの全ページに分類用画像８を印刷する指示を受け付けたとき、制御部１は、全ページの余白領域６への分類用画像８の印刷を印刷部５に行わせる。これにより、ヘッダー情報７ｈやフッター情報７ｆが付されていないページにも分類用画像８を印刷することができる。
【００８５】
また、操作パネル４が印刷ジョブの全ページに分類用画像８を印刷する指示を受け付けたとき、制御部１は、全ページの余白領域６への分類用画像８の印刷を印刷部５に行わせる。これにより、所望する色の分類用画像８を書類内のページに印刷することができる。
【００８６】
また、制御部１は、付記情報に代えて分類用画像８の印刷を印刷部５に行わせる。これにより、更に、各ページで繰り返し記載されるヘッダー情報７ｈやフッター情報７ｆを省略し、書類を見やすくすることができる。
【００８７】
以上、本発明の実施形態について説明したが、本発明の範囲はこれに限定されるものではなく、発明の主旨を逸脱しない範囲で種々の変更を加えて実施することができる。
【産業上の利用可能性】
【００８８】
本発明は、カラー印刷対応の画像形成装置に利用可能である。
【符号の説明】
【００８９】
１００  複合機（画像形成装置）          １      制御部
２      記憶部                          １３    通信部（データ入力部）
３ｂ    画像読取部（データ入力部）      ４      操作パネル
５      印刷部                          ６      余白領域
６ｈ    ヘッダー領域（余白領域）        ６ｆ    フッター領域（余白領域）
７      付記情報                        ７ｈ    ヘッダー情報
７ｆ    フッター情報                    ８      分類用画像
９１    第１情報付記ページ              ９２    第２情報付記ページ
９３    目次一覧                        ９３１  見本画像
Ｄ３    履歴データ
【図１】
2018016006.tif 000003
【図２】
2018016006.tif 000004
【図３】
2018016006.tif 000005
【図４】
2018016006.tif 000006
【図５】
2018016006.tif 000007
【図６】
2018016006.tif 000008
【図７】
2018016006.tif 000009
【図８】
2018016006.tif 000010
【図９】
2018016006.tif 000011
【図１０】
2018016006.tif 000012
【図１１】
2018016006.tif 000013
【図１２】
2018016006.tif 000014
【図１３】
2018016006.tif 000015
【図１４】
2018016006.tif 000016